(57)【要約】【課題】  天板上に設置されたカップ等の容器が傾倒され、カップ内部に注がれた飲料等の液体が天板の上部外周端部から下方へと流れ落ちた場合であっても、液体が天板の下面内方側に流れてしまうことがなく、天板の劣化や湾曲を生じさせないテーブルの天板構造を提供すること。【解決手段】  天板２の内方に向かって下方に傾斜する傾斜部２ｆ、および略垂直上方に向かって下部垂直部２ｇを形成させ、両者を接続するコーナー２ｉを設けたことにより、天板２の上部外周端部２ｄから流れ落ちる液体４０の大部分は、上部垂直部２ｅの下端もしくは傾斜部２ｆから自重で下方に流れ落ち、傾斜部２ｆから天板２の下面２ｂ方向に流れ込む一部の残存する液体４０もコーナー２ｉに沿って円滑に誘導され、下部垂直部２ｇに沿って確実に下方に落下するようになっているので、天板２の劣化や湾曲を生じさせることが未然に防止される。【選択図】  図７
2006102121.tif 000002
【特許請求の範囲】
【請求項１】
天板における外周端部の断面形状を、天板の上面外周端部から略垂直方向下方へと向かう上部垂直部と、該上部垂直部の下端から内方へと向かう水平に近い下向き傾斜部と、天板の下面外周端部から略垂直方向上方へと向かう下部垂直部と、該下部垂直部と前記下向き傾斜部とを接続するコーナー部とを備えたことを特徴とするテーブルの天板構造。
【請求項２】
前記下部垂直部を前記天板の下面に取付自在の垂直部材で構成した請求項１に記載のテーブルの天板構造。
【請求項３】
前記天板を支持する脚柱には、前記テーブルの外方を向く差込口を備えたコンセントが形成され、少なくとも前記コンセントの差込口の前面側に前記下部垂直部が位置する請求項１または２に記載のテーブルの天板構造。
【請求項４】
前記傾斜部には、前記天板の外周に沿った複数の溝が形成されている請求項１乃至３のいずれかに記載のテーブルの天板構造。
【発明の詳細な説明】
【技術分野】
【０００１】
本発明は、天板側からこぼれ落ちた液体類を確実に天板の裏側に回らないようにしたテーブルの天板構造に関する。
【背景技術】
【０００２】
従来、天板における外周端部の断面形状は、円弧形状やかまぼこ形状、または角形状や台形形状をとるものが多く、天板の角が鋭角にならないように処理されていた（例えば、特許文献１参照）。また、近年では天板の厚みをみかけ上薄くしてスマートなデザインとするために、天板側面の上部が略垂直で下部を天板下面の内方に向けて傾斜させた形状もある（例えば、特許文献２参照）。さらに、最近では天板の下方位置に、パソコン等の電気機器を使用する際に必要な電源供給用コンセントや通信用のコンセントが形成され、電気機器のプラグ等を差込可能になっている。（例えば、特許文献３参照）。
【０００３】
【特許文献１】実公昭５６−５４８０７号公報（第１頁右欄２５段目〜第２頁左欄３３段目、第１図、第２図）
【特許文献２】実開平６−５５４３２号公報（第１図）
【特許文献３】実願昭５５−２５８９７号（実開昭５６−１２８０３１号公報）のマイクロフィルム（第２頁１８行〜第３頁１４行、第１図、第３図）
【発明の開示】
【発明が解決しようとする課題】
【０００４】
しかしながら、特許文献１、２のいずれの天板における外周端部の断面形状であっても、天板上におかれた飲物を入れた容器等が倒れて水等の液体が流れ、その液体が天板における外周端部から下方へと流れ落ちた場合、流れ落ちる液体の一部が天板の裏面へと回り込んでしまう恐れがあり、天板下面より内部に液体が染み込むことで天板の劣化や湾曲、特に食堂等で使用されるテーブルの場合には衛生上の問題もあり、天板の裏面に回り込んだ液体を拭き取るにも、天板の下方に屈んで清掃する必要があり、手間と時間が労費されていた。
【０００５】
また、特許文献３にあっては、天板の下面側へと流れ込む液体が脚柱に沿ってコンセントの差込口内に流れ込み、コンセントに故障やショート等を引き起こさせる恐れがあった。
【０００６】
本発明は、このような問題点に着目してなされたもので、天板上に設置されたカップ等の容器が傾倒され、カップ内部に注がれた飲料等の液体が天板の上部外周端部から下方へと流れ落ちた場合であっても、液体が天板の下面内方側に流れて込んで、天板が劣化したり湾曲が生じることを防ぎ、さらに、天板の下方位置に形成されたコンセントを備えたテーブルであっても、コンセントの差込口に液体の流れ込みが防止され、故障やショートを引き起こすことのないテーブルの天板構造を提供することを目的とする。
【課題を解決するための手段】
【０００７】
上記課題を解決するために、本発明の請求項１に記載のテーブルの天板構造は、天板における外周端部の断面形状を、天板の上面外周端部から略垂直方向下方へと向かう上部垂直部と、該上部垂直部の下端から内方へと向かう水平に近い下向き傾斜部と、天板の下面外周端部から略垂直方向上方へと向かう下部垂直部と、該下部垂直部と前記下向き傾斜部とを接続するコーナー部とを備えたことを特徴としている。
この特徴によれば、天板上に置かれたカップ等の容器の傾倒により、天板上に液体が流れ出し、上部外周端部から下方へと流れ落ちた場合であっても、流れ落ちる液体の大部分は、上部垂直部の下端もしくは傾斜部から自重で下方に流れ落ち、傾斜部から天板の下面方向に流れ込む一部の残存する液体もコーナー部に沿って円滑に誘導され、下部垂直部に沿って確実に下方に落下させることができ、液体の天板の下面側への流れ込みが防止され、天板の劣化や湾曲を生じさせることはない。
【０００８】
本発明の請求項２に記載のテーブルの天板構造は、請求項１に記載のテーブルの天板構造であって、前記下部垂直部を前記天板の下面に取付自在の垂直部材で構成したことを特徴としている。
この特徴によれば、天板の下面に垂直部材を設けるだけで、傾斜部から流れ込む液体を垂直部材に沿って、確実に下方に誘導し落下させることができる。
【０００９】
本発明の請求項３に記載のテーブルの天板構造は、請求項１または２に記載のテーブルの天板構造であって、前記天板を支持する脚柱には、前記テーブルの外方を向く差込口を備えたコンセントが形成され、少なくとも前記コンセントの差込口の前面側に前記下部垂直部が位置することを特徴としている。
この特徴によれば、脚柱にコンセントが形成されたテーブルであっても、コンセントの差込口の前面側に下部垂直部が形成されているので、差込口に液体が流れ込むことはなく、故障やショートを引き起こすこともない。
【００１０】
本発明の請求項４に記載のテーブルの天板構造は、請求項１乃至３のいずれかに記載のテーブルの天板構造であって、前記傾斜部には、前記天板の外周に沿った複数の溝が形成されていることを特徴としている。
この特徴によれば、上部垂直部から傾斜部に流れ込む液体の流れを複数の溝で振り落とすことができるので、下部垂直部に流れ込む液体の量を極力低減させることが可能となる。
【発明を実施するための最良の形態】
【００１１】
本発明の実施例を以下に説明する。
【実施例１】
【００１２】
図１は、コンセント付きテーブルの全体像を示す斜視図であり、図２は、天板支持部材に設けられるコンセントユニットを示す斜視図であり、図３は、天板支持部材と脚柱とコンセントユニットの分解組立斜視図であり、図４は、天板支持部材の背面構造を示す斜視図であり、図５（ａ）は、天板支持部材にコンセントユニットが取り付けられた斜視図であり、図５（ｂ）は、天板支持部材に閉塞部材が取り付けられた変形例を示す斜視図であり、図５（ｃ）は、天板支持部材に通信ユニットが取り付けられた変形例を示す斜視図であり、図６は、テーブルの裏面構造を示す一部破断斜視図であり、図７（ａ）は、傾倒されたカップに注がれた液体が天板に流れ出した状態を示す斜視図であり、図７（ｂ）は、カップの液体が天板下方に流れ出した状態を示す断面図である。
【００１３】
このコンセント付きテーブル１（以下、テーブル１）では、後で詳述するが天板２上に載置された電気機器類に電源を供給可能となっている。そこで、本発明の実施例を図面に基づいて説明すると、図１に示されるように、テーブル１は主に上面視矩形状の天板２と、天板２の各隅部が切り欠かれたように形成されたテーブルコーナー２ｃ下面に設けられた脚柱３（本実施例では４脚）と、この両者（天板２と脚柱３）の間に設けられた天板支持部材１０（本実施例では４つ）と、から構成されており、脚柱３の下端には高さ調整可能な接地部材であるアジャスタ３３が取り付けられ、テーブル１が安定して床面３９に載置されている。
【００１４】
テーブル１の周囲には椅子３５が複数設置され、天板２には、飲料である液体４０が注がれた複数のカップＫと、電気機器であるノート型パソコン（以下、パソコン）３４が複数設置されており、それぞれのパソコン３４に接続される電源ケーブル２４ａの先端に設けられたプラグ２４ｂが、近傍に位置する各天板支持部材１０に設けられた後述するコンセントユニット２０に形成された差込口に差し込まれている。このコンセントユニット２０の背面側からは電源コード２６が脚柱３の背面に沿って延設され、電源コード２６の先端に設けられたプラグ２６ａが、壁面３６に設けられたコンセント３７に差し込まれている。
【００１５】
以下、本実施例の説明において、天板支持部材１０の外側を前方とし、天板支持部材１０の内方および背面側を後方とし、天板支持部材１０の両側方向を左右方向として説明する。
【００１６】
コンセントユニット２０は、図２に示されるように差込口２０ｂが設けられた表面板２０ａと、表面板２０の後方に向かって延出するように形成された矩形ボックス状の嵌入部２０ｃと、嵌入部２０ｃの差込口２０ｂの反対側から延出された電源コード２６から構成され、電源コード２６の先端にはプラグ２６ａが設けられている。電源コード２６の所定間隔周りにはスパイラルバンド２９が巻き付けられている。
【００１７】
嵌入部２０ｃの上下端面の差込口２０ｂ側には、それぞれ２本の案内片２１が形成され、嵌入部２０ｃの左右端面の差込口２０ｂ反対側には、それぞれ後方から下方に向かって「く字形」に折り曲げられた係止片２３が形成され、先端部に操作部２３ａが設けられている。この係止片２３の折り曲げ近傍には、外方に突設された係合部に相当する係合凸部２５が形成されている。
【００１８】
次いで、天板２を支持する天板支持部材１０および脚柱３について詳細に説明すると、図３に示されるように、天板支持部材１０の上面には、天板２と連結可能な一対の扇状支持部１４が設けられており、扇状支持部１４の複数箇所に上下に貫通する貫通孔１５が形成され、この貫通孔１５を介してボルト２７で天板２と連結可能になっている。天板支持部材１０の下面には、下方に向けて一対の挿入片１７が延設されている。
【００１９】
天板支持部材１０の外側面には、外方を向く第１開口１２ａから内方に向かって略水平方向に通孔１２が形成され、通孔１２の内周上下面に内方に向けて摺動溝１１が形成され、コンセントユニット２０の案内片２１が摺動可能に嵌合されるようになっている。通孔１２の内方側方には上下方に向けて被係合部に相当する係合凹部１８が形成されている。通孔１２下面には下方に貫通するボルト用の貫通孔１６が形成され、通孔１２の上面には上方に貫通する開口１２ｃが連通されている。
【００２０】
脚柱３には上下に貫通する溝条５が前後左右に形成され、後方の溝条５には上下方向に挿入溝６が形成されている。脚柱３の上端部３ａと下端部３ｂにはその中央位置に螺合穴４が形成され、下端部３ｂには貫通孔７ａが形成されたカバー部材７が嵌合され、この貫通孔７ａを介して下端部３ｂの螺合穴４に向けてアジャスタ３３が取り付けられる。
【００２１】
天板支持部材１０と脚柱３の連結は、天板支持部材１０の挿入片１７を左右の溝条５に嵌合させて、脚柱３の上端部３ａに位置固定させた後、ボルト２８を天板支持部材１０の開口１２ｃから貫通孔１６に向けて挿し込み、脚柱３の螺合穴４に螺合させ締め付けることで連結が完了する。このように、ボルト２８による螺合と、挿入片１７により天板支持部材１０と脚柱３が確実に連結される。このようにして連結された天板支持部材１０と脚柱３は分離も容易であるので、脚柱３の高さの変更を行いたい場合にも、長さの違う新たな脚柱３の交換が容易に行える構成になっている。
【００２２】
そして、天板支持部材１０と脚柱３の連結完了後、コンセントユニット２０を天板支持部材１０の第１開口１２ａから通孔１２に向けて内挿可能になっている。そこで、コンセントユニット２０の取り付けについて簡単に説明すると、天板支持部材１０の通孔１２にコンセントユニット２０を内挿させながら、通孔１２の左右側面に形成された係合凹部１８に、コンセントユニット２０の係合凸部２５を係合させることで取り付けが完了となり、天板支持部材１０にコンセントユニット２０が位置固定される。
【００２３】
また、通孔１２にコンセントユニット２０を取り付けずに、第１開口１２ａを閉蓋する部材として、閉塞部材３２を取り付けることも可能であり、この閉塞部材３２はコンセントユニット２０と同様に表面板３２ａの後方に向かって延設された嵌入部３２ｃと、嵌入部３２ｃの表面板３２ａ側の上下端面にはそれぞれ２本の案内片３２ｅが形成され、嵌入部３２ｃの両側面に切欠き３２ｄが形成されている。
【００２４】
次いで、天板支持部材１０の背面構造について説明すると、図４に示されるように、天板支持部材１０の後方には、下方に向けて第２開口１２ｂが形成され、通孔１２に連結されている。つまり、第１開口１２ａおよび第２開口１２ｂは通孔１２を介して連結されている。第２開口１２ｂの内周面の前方両端部には、係合凹部１８が上方向に向けて形成されており、第２開口１２ｂの前端近傍から前方斜め下方に向けて配線溝１９が形成され、電源コード２６が案内可能となっている。この第２開口１２ｂには、閉塞部材３２の切欠き３２ｄが前後方向を向く状態で、通孔１２内に嵌入部３２ｃを圧入させることで取り付け可能になっている。
【００２５】
第２開口１２ｂからは、前述したコンセントユニット２０（図示略）が通孔１２に取り付けられた際に、コンセントユニット２０の後端から延出される電源コード２６（図示略）を配線溝１９に沿わせて、下方に引き出し可能になっている。天板支持部材１０の後端上部には、後方に突設された連結部１３が形成され、連結部１３の中央位置に前後に貫通する連結孔１３ａが形成されている。ボルト２７を第２開口１２ｂから連結孔１３ａを介して、連結部１３の螺合穴４５ａに螺合させることで、連結部１３に後述する連結部材４５が接続されるようになっている。
【００２６】
図５（ａ）に示されるように、天板支持部材１０にコンセントユニット２０が取り付けられると、差込口２０ｂおよび表面板２０ａの外表面が天板支持部材１０の外表面と面一になることにより、プラグ差し込み時の突出が極力避けられ、且つ面一となった面を脚柱３の外表面とも面一とすることも可能で、美感に優れたテーブル脚を提供できる。
【００２７】
さらに、コンセントユニット２０が通孔１２内に取り付けられた状態では、第１開口１２ａの外側面が表面板２０ａにより閉蓋されるので、通孔１２内に塵や埃が侵入することが阻止される。なお、天板支持部材１０の扇状支持部１４には、複数のボルト２７が上方に向け貫通され、天板２下面に形成された図示しない螺合穴に螺合され堅固に固定されている。
【００２８】
図５（ｂ）は、天板支持部材１０の第１開口１２ａに前述した閉塞部材３２が取り付けられた変形例であり、閉塞部材３２の表面板３２ａによって、第１開口１２ａが閉蓋され、天板支持部材１０の外表面と面一になることから見栄えを損ねず、コンセントユニット２０を必要としないテーブルとしても利用可能となり、また、閉塞部材３２を取り外してコンセントユニット２０に交換するだけで、いつでもコンセント付きテーブル１に変更できる。
【００２９】
図５（ｃ）は、天板支持部材１０の第１開口１２ａに通信ユニット４１を取り付けた変形例であり、表面板４１ａの中央部にＬＡＮケーブル等を接続可能な差込口４１ｂが設けられている。なお、通信ユニット４１の天板支持部材１０からの着脱は、上記したコンセントユニット２０と略同様のため説明を割愛する。このように、本発明において、電源供給用のコンセントユニット２０や通信接続用の通信ユニット４１等に限定されることなく、各種接続用コンセントユニットに対しても対応可能である。
【００３０】
なお、コンセントユニット２０に接続された電源コード２６は、天板支持部材１０の第２開口１２ｂで反転して、脚柱３の挿入溝６から溝条５（図３参照）内に納められており、テーブル１を利用する利用者の手や足に引っ掛かることがなく安全性が高められるとともに、テーブル１の外部からの見栄えも良いものとなる。
【００３１】
天板２の外周面は、図６に示されているように、上面外周端部２ｄから下方に向けて上面垂直部２ｅが形成され、上面垂直部２ｅの下端から内方にやや斜め下向きで天板２の下面に向けて、傾斜部２ｆが形成されている。また、テーブルコーナー２ｃに各々設けられた天板支持部材１０の後端側の連結部１３には、一対毎にアーチ状に連結部材４５が連結され、さらに一対の連結部材４５間に連結部材４６が連結されることにより、強固な枠組みが構成されている。
【００３２】
したがって、連結部材４５、４６によりテーブルコーナー２ｃにそれぞれ設けられた脚柱４の連結強度が高められ、例えば面積の大きな天板や重量のある天板に対しても対応可能となっている。しかも、天板支持部材１０の扇状支持部１４により天板２の支持面積を拡大させることで、より安定して天板２を支えることができる。
【００３３】
そして、利用者は天板２上に配置された各パソコン３４等の電気機器から各々延出された電源ケーブル３４ａ（図１参照）を近傍に位置するコンセントユニット２０に接続させることで、各パソコン３４に電気を確実に供給させることができ、また利用者がテーブルの所望の位置に移動して作業を行う場合でも近くの脚柱３の上にあるコンセントユニット２０から電気を供給でき、常時パソコン３４を利用可能になっている。また、コンセントユニット２０が天板支持部材１０の外方に位置するので、電源ケーブル３４を周囲に支障をきたすことなく最短距離で配線できる構成になっている。
【００３４】
次に、天板３の外周面と、その近傍の構造について具体的に説明すると、図７（ａ）（ｂ）に示されるように、天板２の上面外周端部２ｄから略垂直方向下方に向けて、上部垂直部２ｅが形成され、この上部垂直部２ｅの下端から内方に向けて緩やかな下向きの傾斜部２ｆが形成されている。そして、天板２の下面２ｂの下面外周端部２ｈから略垂直方向上方に向けて、下部垂直部２ｅが形成されており、この下部垂直部２ｅと傾斜部２ｆを接続するように、緩やかな湾曲状のコーナー部２ｉが形成されている。
【００３５】
図７（ａ）に示されるように、例えば、利用者がカップＫを傾倒させ、内部の液体４０を天板２上に流してしまった場合に、液体４０が上部外周端部２ｄから上部垂直部２ｅに沿って下方に流れると、図７（ｂ）に示されるように、液体４０が上部垂直部２ｅから傾斜部２ｆ、コーナー部２ｉを介して、下部垂直部２ｇ方向に流れるようになっている。
【００３６】
上部外周端部２ｄから流れ落ちる液体４０の大部分は、上部垂直部２ｅの下端もしくは傾斜部２ｆから自重で下方に流れ落ち、傾斜部２ｆから天板２の下面２ｂ方向に流れ込む一部の残存する液体４０もコーナー部２ｉに沿って円滑に誘導され、下部外周端部２ｈから略垂直方向上方に形成された下部垂直部２ｇに沿って、確実に下方に落下するようになっている。なお、下部垂直部２ｅの上下の高さは本出願人の検証実験に基づき、液体４０が下部垂直部２ｇの下端部を乗り越えて、天板２の下面２ｂの内方に入り込むことのない最適な高さは３ｍｍ以上となっており、本実施例においても傾斜部２ｆの下端から下部垂直部２ｅの下端までの高さを３ｍｍ以上としている。
【００３７】
このことから、天板２の下面２ｂに設けられたテーブル１の外方を向く差込口２０ｂの前面側には、下部垂直部２ｇが形成されているので、差込口２０ｂや通孔１２内への液体４０の流れ込みが阻止され、故障やショートを引き起こすことが未然に防止されている。
【００３８】
以上の説明により実施例１では、天板２上に設置されたカップＫ等の容器が傾倒され、カップ内部に注がれた飲料等の液体４０が天板２の上部外周端部２ｄから下方へと流れ落ちた場合であっても、液体４０が天板２の下面２ｂ内方側に流れてしまうことがなく、天板２の劣化や湾曲を生じさせないように未然に防止されており、またテーブルの外端下部を拭くだけで液体を取り去ることができるので、テーブル２の衛生面においても良好な状態に保つことができる。
【実施例２】
【００３９】
次に、本発明の実施例２を図８に基づいて説明する。図８は、カップの液体が天板に流れ出した状態を示す断面図である。なお、以下の実施例２において前述の実施例１と同様の構造部分に関しては、同一の符号を付すことにより詳細な説明は省略することにする。
【００４０】
図８に示されるように、天板２’には上記実施例１の下部垂直部２ｇは形成されておらず、天板２’の下面外周端部２ｈ’から略垂直方向下方に向けて垂直部材４２が設けられている。垂直部材４２の高さは実施例１の下部垂直部２ｇと同様に３ｍｍ以上となっている。傾斜部２ｆ’から天板２’の下面２ｂ’方向に流れ込む液体４０は、コーナー部２ｉ’に沿って誘導され、垂直部材４２に沿って、確実に下方に落下するようになっている。
【００４１】
以上の説明により実施例２では、下部垂直部２ｇが形成されない天板２であっても、天板２の下面２ｂ’の下面外周端部２ｈ’に垂直部材４２を設けるだけで、傾斜部２ｆ’から流れ込む液体４０を垂直部材４２に沿って、実施例１の下部垂直部２ｇと同様に、下方に誘導し確実に落下させることができる。この垂直部材４２はテーブル下面全周に設けずにコンセントユニット２０が配設されているテーブルコーナー２ｃ’の下面側だけに設けるようにしても良い。
【実施例３】
【００４２】
次に、本発明の実施例３を図９に基づいて説明する。図９は、カップの液体が天板に流れ出した状態を示す断面図である。なお、以下の実施例３において前述の実施例２と同様の構造部分に関しては、同一の符号を付すことにより詳細な説明は省略することにする。
【００４３】
図９に示されるように、傾斜部２ｆ’’には、天板２’の外周に沿った複数の溝が形成されており、上部垂直部２ｅ’から傾斜部２ｆ’’に流れ込む液体４０の流れを複数の溝で振り落とすことができるので、下部垂直部に流れ込む液体の量を極力低減させることが可能となる。なお、言うまでもないが、実施例１の傾斜部２ｆに対しても、天板２の外周に沿った複数の溝を形成することで、同様の効果が得られるようになる。
【００４４】
以上、本発明の実施例１〜３を図面により説明してきたが、具体的な構成はこれら実施例に限られるものではなく、本発明の要旨を逸脱しない範囲における変更や追加があっても本発明に含まれ、例えば上記実施例１においては、下部垂直部２ｇを下面外周端部２ｈの外周の全てに形成させ、実施例２，３においては、垂直部材４２を下面外周端部２ｈ’の外周の全てに設けることにより、天板２の上面２ａのいずれに液体４０が流れても、天板２の下面２ｂ内方に液体４０が入り込むことを阻止できることから好ましいが、少なくとも、コンセントの差込口２０ｂの前面側に下部垂直部２ｇが形成、または垂直部材４２が設けられていれば、液体４０が差込口２０に入り込むことを未然に回避でき、天板２の上面２ａに載置されるパソコン３４等の電気機器類に重大な損失を与えることがない。
【図面の簡単な説明】
【００４５】
【図１】本発明の実施例１におけるコンセント付きテーブルの全体像を示す斜視図である。
【図２】天板支持部材に設けられるコンセントユニットを示す斜視図である。
【図３】天板支持部材と脚柱とコンセントユニットの分解組立斜視図である。
【図４】天板支持部材の背面構造を示す斜視図である。
【図５】（ａ）は、天板支持部材にコンセントユニットが取り付けられた斜視図であり、（ｂ）は、天板支持部材に閉塞部材が取り付けられた変形例を示す斜視図であり、（ｃ）は、天板支持部材に通信ユニットが取り付けられた変形例を示す斜視図である。
【図６】テーブルの裏面構造を示す一部破断斜視図である。
【図７】（ａ）は、傾倒されたカップに注がれた液体が天板に流れ出した状態を示す斜視図であり、（ｂ）は、カップの液体が天板下方に流れ出した状態を示す断面図である。
【図８】第２実施例におけるカップの液体が天板に流れ出した状態を示す断面図である。
【図９】第３実施例におけるカップの液体が天板に流れ出した状態を示す断面図である。
【符号の説明】
【００４６】
１                    テーブル
２、２’              天板
２ａ                  上面
２ｂ、２ｂ’          下面
２ｃ、２ｃ’          テーブルコーナー
２ｄ                  上面外周端部
２ｅ、２ｅ’          上部垂直部
２ｆ、２ｆ’、２ｆ’’  傾斜部
２ｇ                  下部垂直部
２ｈ、２ｈ’          下面外周端部
２ｉ、２ｉ’          コーナー部
３                    脚柱
３ａ                  上端部
３ｂ                  下端部
１０                  天板支持部材
１２                  通孔
１８                  係合凹部
１９                  配線溝
２０                  コンセントユニット
２０ａ                表面板
２０ｂ                差込口
２５                  係合凸部
２６                  電源コード
２６ａ                プラグ
３４                  パソコン（電気機器）
３４ａ                電源ケーブル
３４ｂ                プラグ
４０                  液体
４１                  ＬＡＮ等の通信ユニット
４２                  垂直部材
Ｋ                    カップ
【図１】
2006102121.tif 000003
【図２】
2006102121.tif 000004
【図３】
2006102121.tif 000005
【図４】
2006102121.tif 000006
【図５】
2006102121.tif 000007
【図６】
2006102121.tif 000008
【図７】
2006102121.tif 000009
【図８】
2006102121.tif 000010
【図９】
2006102121.tif 000011